(57)【要約】【課題】複数枚の集塵極板を懸架するための無端索条体の磨耗による伸びを防止し、当該無端索条体の寿命を長く保つ。【解決手段】一対の駆動ホイール２０にそれぞれ回転可能に支持された一対の無端索条体と、この一対の無端索条体に懸架された複数枚の集塵極板２６とを有し、複数枚の集塵極板２６が放電極の回りを一定方向に周回移動するようにされた電気集塵装置の移動電極１８において、無端索条体として可撓性の無端ワイヤ２４を用いたことを特徴とする。駆動ホイール２０の外周に複数の係合段部を等ピッチで形成し、無端ワイヤ２４には係合段部３６ａと係合する係合ブロック３８を等ピッチに取り付けることが望ましい。【選択図】図１
2007117981.tif 000002
【特許請求の範囲】
【請求項１】
駆動ホイールによって回転可能に支持された無端索条体と、前記無端索条体に懸架された複数枚の集塵極板とを有し、前記複数枚の集塵極板が放電極の回りを一定方向に周回移動するようにされた電気集塵装置の移動電極において、前記無端索条体として可撓性の無端ワイヤを用いたことを特徴とする電気集塵装置の移動電極。
【請求項２】
前記駆動ホイールの外周に複数の係合段部が等ピッチで形成されており、前記無端ワイヤには前記係合段部に係合して牽引される係合ブロックを等ピッチに取り付けられたことを特徴とする請求項１に記載の電気集塵装置の移動電極。
【請求項３】
前記集塵極板を前記無端ワイヤに懸架するための懸架部材が前記無端ワイヤに設けた前記係合ブロックを兼ねていることを特徴とする請求項２に記載の電気集塵装置の移動電極。
【請求項４】
前記駆動ホイールを爪車とし、この爪車の係合爪に係合される前記無端ワイヤの前記係合ブロックを円筒体としたことを特徴とする請求項２または３に記載の電気集塵装置の移動電極。
【請求項５】
前記係合段部は、円筒体の前記係合ブロックの端面のいずれか一方に係合することを特徴とする請求項４に記載の電気集塵装置の移動電極。
【請求項６】
前記係合ブロックが球体であり、前記係合段部が半球面凹部によって形成されていることを特徴とする請求項２または３に記載の電気集塵装置の移動電極。
【請求項７】
前記無端ワイヤが撚りの入ったワイヤロープであることを特徴とする請求項１ないし６のいずれかに記載の電気集塵装置の移動電極。
【請求項８】
前記係合ブロックを前記無端ワイヤに溶接接合してなることを特徴とする請求項２ないし７のいずれかに記載の電気集塵装置の移動電極。
【発明の詳細な説明】
【技術分野】
【０００１】
本発明は電気集塵装置の移動電極に係り、特に無端索条体に懸架された複数枚の集塵極板が放電極の回りを周回移動するようにされた電気集塵装置の移動電極に関する。
【背景技術】
【０００２】
特許文献１には火力発電所のボイラー排ガスや各種炉の排ガスからダストを除去するための移動電極式電気集塵装置が開示されている。図８はこの種の移動電極式電気集塵装置に使われる移動電極の概略構造を示す斜視図である。上部に配置された一対の駆動スプロケットホイール１と下部に配置され一対の従動ローラ２との間には、無端索条体として一対の無端チェーン３、３が回転可能に張り渡されている。一対の無端チェーン３、３間に、矩形の集塵極板４がその側縁の中間部５で連結されて取り付けられ、チェーン周回方向に沿って複数枚の集塵極板４，４，……が配列するように取り付けられている。駆動スプロケットホイール１の軸６は図示しない駆動機構によって回転し、この軸６の回転が駆動スプロケットホイール１に噛み合う一対の無端チェーン３、３に伝達され、全体としてループを形成している複数枚の集塵極板４，４，……が図示しない放電極の回りを周回移動する。
【０００３】
図９は移動電極１０下部の配置図であり、無端チェーン３に懸架されて下降した集塵極板４は従動ローラ２の位置でＵターンし、上昇に転じる。この上昇直後の集塵極板４を挟む位置に回転ブラシ７が移動電極１０のレーン毎に配置されている。回転ブラシ７よりも上方には放電極８が配設されている。集塵極板４，４が放電極８の横を上下方向に移動する間に、放電極８からのコロナ放電によって排ガス中のダストが帯電し、各集塵極板４の表面に捕集される。回転ブラシ７が配置された位置を各集塵極板４が通過する際に、集塵極板４の表面に付着したダストが回転ブラシ７によって剥離、除去される。
【０００４】
すなわち、この種の移動電極式電気集塵装置では、放電極８が存在する上方の集塵空間を各集塵極板４が移動する間に、各集塵極板４の表面にダストが捕集され、この集塵極板４が下降して従動ローラ２の位置でＵターンし、上昇に転じた際に集塵極板４の表面に付着したダストを回転ブラシ７によって剥離、除去することを繰り返す。このような構成によれば、集塵極板４が回転ブラシ７を通過する都度に集塵極板４の表面に付着したダストが確実に除去され、集塵極板４表面の清浄度が回復する。このため、集塵極板４表面に捕集されて堆積するダスト層の厚みを常に薄く維持できる。
【０００５】
電気集塵装置の集塵性能は、捕集したダストの電気抵抗率の影響を大きく受ける。特にダストの電気抵抗率が１０１２Ωｃｍ以上と高い時には、集塵極板の表面に堆積したダスト層の厚みが一定値以上になると逆電離現象が発生し、集塵性能が急激に低下する。移動電極式電気集塵装置は、集塵極板４の表面に捕集されて堆積するダスト層の厚みを上述のとおり常に薄く維持できるので、逆電離現象が発生し難い。したがって、この種の移動電極式電気集塵装置は高抵抗ダストを含む排ガス用に主に使われる。
【特許文献１】特開２００１−２４６２８４号公報
【発明の開示】
【発明が解決しようとする課題】
【０００６】
ところで、上記の移動電極１０では無端チェーン３には導電性の材料を使用し、各集塵極板４からの電流を無端チェーン３から駆動スプロケットホイール１や従動ローラ２を介して地絡させている。このため、無端チェーン３には各集塵極板４と同様にダストが付着する。この無端チェーン３に付着したダストは、図１０に示した無端チェーン３を構成している横リンク３ａと縦リンク３ｂとの接触部３ｃに入り込む。無端チェーン３が駆動スプロケットホイール１や従動ローラ２を通過する際に、接触部３ｃは摺動するため、この接触部３ｃに侵入したダストの影響で横リンク３ａ及び縦リンク３ｂの接触面が早く磨耗する。磨耗が長期間にわたって継続すると無端チェーン３が次第に伸びてピッチｐが大きくなる。無端チェーン３の伸びはチェーン寿命の短縮に直結する。また、ピッチｐが大きくなることによって無端チェーン３と駆動スプロケットホイール１との噛み合わせが悪くなり、運転の不安定を招くという欠点があった。
【０００７】
本発明の目的は、上記従来技術の欠点を解消し、複数枚の集塵極板を懸架するための無端索条体の磨耗による伸びを防止し、当該無端索条体の寿命を長く保つとともに、運転不安定を招かない電気集塵装置の移動電極を提供することにある。
【課題を解決するための手段】
【０００８】
上記目的を達成するために、本発明に係る電気集塵装置の移動電極は、駆動ホイールによって回転可能に支持された無端索条体と、前記無端索条体に懸架された複数枚の集塵極板とを有し、前記複数枚の集塵極板が放電極の回りを一定方向に周回移動するようにされた電気集塵装置の移動電極において、前記無端索条体として可撓性の無端ワイヤを用いたことを特徴とする。
【０００９】
上記構成の移動電極は、前記駆動ホイールの外周に等ピッチで複数の係合段部が等ピッチで形成されており、前記無端ワイヤには前記係合段部に係合して牽引される係合ブロックを等ピッチに取り付けられたことが望ましい。また、前記集塵極板を前記無端ワイヤに懸架するための懸架部材が前記無端ワイヤに設けた前記係合ブロックを兼ねていることが望ましい。さらに前記駆動ホイールを爪車とし、この爪車の係合爪に係合される前記無端ワイヤの前記係合ブロックを円筒体とすることが望ましい。前記係合段部は、円筒体の前記係合ブロックの端面のいずれか一方に係合することが望ましい。また前記係合ブロックが球体であり、前記係合段部が半球面凹部によって形成されていることが望ましい。さらに前記無端ワイヤが撚りの入ったワイヤロープであることが望ましい。また前記係合ブロックを前記無端ワイヤに溶接接合してなることが望ましい。
【発明の効果】
【００１０】
本発明に係る電気集塵装置の移動電極によれば、無端索条体が可撓性の無端ワイヤとされているので、磨耗による伸びを防止でき、無端索条体としての寿命を長く保つことができる。また、駆動ホイールの外周に等ピッチで複数の係合段部を形成するとともに、無端ワイヤには係合段部と係合する係合ブロックを係合段部に合わせて等ピッチに取り付けるようにした。この構成によれば、係合段部と係合ブロックとが噛み合うことによって、駆動ホイールの回転力が係合段部を介して係合ブロックに確実に伝達される。このため、無端ワイヤに懸架した集塵極板を安定、確実に周回移動させることができる。また、係合段部は、円筒体の係合ブロックの端面のいずれか一方に係合し、長期間の運転によって係合ブロックが磨耗しても、係合ブロック間のピッチは変化しないので、安定運転を継続することができる。
【発明を実施するための最良の形態】
【００１１】
図１は本発明に係る電気集塵装置の移動電極の実施形態を示す斜視図である。上部に配置された一対の駆動ホイール２０と下部に配置された一対の従動ローラ２２との間には、一対の可撓性の無端ワイヤ２４、２４が回転可能に張り渡されている。無端ワイヤ２４としては単線あるいは複数のワイヤ線材からなるものでよいが、撚りが入ったワイヤロープ構造のものが強度上の観点から望ましい。一対の無端ワイヤ２４、２４には、複数枚の集塵極板２６，２６，……がその幅方向の中間位置で懸架部材２８に係止されることによって懸架されている。駆動ホイール２０の軸３０は図示しない駆動機構によって回転し、この軸３０の回転に伴う駆動ホイール２０の回転が一対の無端ワイヤ２４、２４に伝達され、全体としてループを形成している複数枚の集塵極板２６，２６，……が図示しない放電極の回りを周回移動する。
【００１２】
図２は上記構成の移動電極１８を備えた移動電極式電気集塵装置の主要構成を示した正面図である。集塵空間には複数の放電極３２が所定の間隔で並列に配置され、これらの放電極３２を１個置きに取り囲むようにして複数の移動電極１８が配置されている。無端ワイヤ２４に懸架されて下降した集塵極板２６は従動ローラ２２の位置でＵターンし、上昇に転じる。この上昇直後の集塵極板２６を挟む位置に回転ブラシ３４が移動電極１８のレーン毎に配置されている。
【００１３】
高抵抗ダストを含む被処理ガスが紙面に対して垂直方向に流れる。回転ブラシ３４よりも上方の集塵空間を集塵極板２６，２６が放電極３２の横を上下方向に移動する間に、放電極３２からのコロナ放電によって被処理中のダストが帯電し、各集塵極板２６の表面に捕集される。回転ブラシ３４が配置された位置を各集塵極板２６が通過する際に、集塵極板２６の表面に付着したダストが回転ブラシ３４によって剥離、除去される。
【００１４】
すなわち、この種の移動電極式電気集塵装置では、放電極３２が存在する上方の集塵空間を各集塵極板２６が移動する間に、各集塵極板２６の表面にダストが捕集され、この集塵極板２６が下降して従動ローラ２２の位置でＵターンし、上昇に転じた際に集塵極板２６の表面に付着したダストを回転ブラシ３４によって剥離、除去することを繰り返す。
【００１５】
図３は駆動ホイール２０と無端ワイヤ２４の細部構造を示す正面図である。この駆動ホイール２０は爪車によって構成したもので、一方向回転伝達が可能な爪構造とされている。すなわち、駆動ホイール２０の外周には８個の爪状の係合段部３６ａを有する突起部３６が等ピッチｐ０で形成されている。また，無端ワイヤ２４にも前記係合段部３６ａに係合する係合ブロック３８が突起部３６に合わせて等ピッチｐ０で取り付けられている。図４は無端ワイヤ２４に対する係合ブロック３８の取り付け状態を示した図であり、図４（１）は斜視図、図４（２）は断面図である。係合ブロック３８は半円柱状の半割部材３８ａ，３８ｂからなる。これらの半割部材３８ａ，３８ｂで無端ワイヤ２４を挟み、相互を溶接するとともに、半割部材３８ａ，３８ｂの上下を図４（２）に示したように無端ワイヤ２４との間で溶接してある。
【００１６】
図５は無端ワイヤ２４に集塵極板２６を懸架するための懸架部材２８の取り付け状態を示した図であり、図５（１）は斜視図、図５（２）は断面図である。懸架部材２８は半円柱状の半割部材２８ａと直方体状の半割部材２８ｂからなる。これらの半割部材２８ａ，２８ｂで無端ワイヤ２４を挟み、相互を溶接するとともに、半割部材２８ａ，２８ｂの上下を図５（２）に示したように無端ワイヤ２４との間で溶接してある。半割部材２８ｂの無端ワイヤ２４側とは反対側の面は、集塵極板２６の取付面２８ｃとされている。この取付面２８ｃに集塵極板２６の幅方向の中間部を溶接することによって、集塵極板２６を無端ワイヤ２４に懸架させる。この懸架部材２８と前後の係合ブロック３８との間隔は前記ピッチｐ０と同一とされ、懸架部材２８は係合ブロック３８として役目を兼ねている。
【００１７】
図３に示した状態において、駆動ホイール２０が矢印Ｙのように左回転すると、係合段部３６ａは円筒体の係合ブロック３８の端面のいずれか一方に係合する。すなわち本実施形態では、駆動ホイール２０に形成された突起部３６の上面に位置する係合段部３６ａと係合ブロック３８の下面とが噛み合う。このため、駆動ホイール２０の回転力が係合段部３６ａを有する突起部３６を介して係合ブロック３８に確実に伝達され、集塵極板２６を懸架した無端ワイヤ２４が１ピッチｐ０ずつ確実に引き上げられる。
【００１８】
無端ワイヤ２４には導電性の材料を使用しており、各集塵極板２６からの電流を無端ワイヤ２４から駆動ホイール２０や従動ローラ２２などを介して地絡させている。このため、無端ワイヤ２４には集塵極板２６と同様にダストが付着する。しかしながら、無端ワイヤ２４が駆動ホイール２０を通過する際には、図３に示したように無端ワイヤ２４と駆動ホイール２０との間に係合ブロック３８や懸架部材２８が介在するため、無端ワイヤ２４と駆動ホイール２０とはほとんど接触しない。無端ワイヤ２４が従動ローラ２２を通過する際にも、図６に示すように無端ワイヤ２４と従動ローラ２２との間に係合ブロック３８や懸架部材２８が介在するため、無端ワイヤ２４と従動ローラ２２とはほとんど接触しない。したがって、無端ワイヤ２４に付着したダストによって無端ワイヤ２４の磨耗が早まる可能性は低い。
【００１９】
図７は無端索条体の伸び率予想値を比較したグラフである。図中、曲線ａは本実施形態の無端ワイヤ２４の場合、曲線ｂは従来技術に係る無端チェーンの場合を示している。曲線ａの無端ワイヤ２４では、運転初期に若干伸びる傾向があるが、それ以降はほとんど伸びが進行しない。一方、曲線ｂの従来技術に係る無端チェーンでは、運転時間にほぼ比例して伸びが進行し、運転時間が１０万時間では伸び率は２％に達する。
【００２０】
なお、係合ブロック３８や懸架部材２８には強度上や経済性の観点から炭素鋼系の導電材が使用され、これらの部材にもダストが付着する。そして、無端ワイヤ２４が駆動ホイール２０や従動ローラ２２を通過する際には、これらの部材が駆動ホイール２０や従動ローラ２２と接触し、付着したダストが係合ブロック３８や懸架部材２８の磨耗を早める。しかしながら、係合ブロック３８や懸架部材２８が多少、磨耗しても図３に示した係合ブロック３８間のピッチｐ０は変化しないので、安定運転を継続することができる。
【００２１】
上述のとおり、本実施形態の電気集塵装置の移動電極によれば、無端索条体が可撓性の無端ワイヤ２４とされているので、磨耗による伸びを防止でき、無端索条体としての寿命を長く保つことができる。また、駆動ホイール２０の外周に等ピッチで複数の係合段部３６ａを有する突起部３６を形成するとともに、無端ワイヤ２４には係合段部３６ａと係合する係合ブロック３８を突起部３６に合わせて等ピッチに取り付けるようにした。この構成によれば、係合段部３６ａを有する突起部３６と係合ブロック３８とが噛み合うことによって、駆動ホイール２０の回転力が係合段部３６ａを介して係合ブロック３８に確実に伝達される。このため、無端ワイヤ２４に懸架した集塵極板２６を安定、確実に周回移動させることができる。また、長期間の運転によって係合ブロック３８が磨耗しても、係合ブロック３８間のピッチｐ０は変化しないので、安定運転を継続することができる。
【００２２】
上記実施形態では、駆動ホイールに形成する係合段部が８個である場合について説明した。しかしながら、本発明に係る駆動ホイールに形成する係合段部の数は、複数であれば特に限定されない。実用上は係合段部を有する突起部を６〜１６個の範囲内で選定することが望ましい。また、無端ワイヤに係合ブロックや懸架部材を固定する手段は溶接に替えてボルト締めにすることができる。
【００２３】
更に、上記実施形態では、駆動ホイールを爪車によって構成した例について説明したが、ホイール外周面に等ピッチで半球面凹部からなる係合段部を形成し、他方、無端ワイヤ側には球体ブロックを等ピッチで取り付けるような構成とすることもできる。
【図面の簡単な説明】
【００２４】
【図１】本発明に係る電気集塵装置の移動電極の実施形態を示す斜視図である。
【図２】移動電極式電気集塵装置の主要構成を示した正面図である。
【図３】駆動ホイール２０と無端ワイヤ２４の細部構造を示す正面図である。
【図４】係合ブロック３８の取り付け状態を示した図であり、（１）は斜視図、（２）は断面図である。
【図５】懸架部材２８の取り付け状態を示した図であり、（１）は斜視図、（２）は断面図である
【図６】従動ローラ２２近傍の作動状況を示す正面図である。
【図７】無端索条体の伸び率予想値を比較したグラフである。
【図８】従来技術に係る移動電極の概略構造を示す斜視図である。
【図９】従来技術に係る移動電極の下部の配置図である。
【図１０】無端チェーンの主要構成を示す説明図である。
【符号の説明】
【００２５】
１８………移動電極、２０………駆動ホイール、２２………従動ローラ、２４………無端ワイヤ、２６………集塵極板、２８………懸架部材、３２………放電極、３４………回転ブラシ、３６………突起部、３６ａ………係合段部、３８………係合ブロック。
【図１】
2007117981.tif 000003
【図２】
2007117981.tif 000004
【図３】
2007117981.tif 000005
【図４】
2007117981.tif 000006
【図５】
2007117981.tif 000007
【図６】
2007117981.tif 000008
【図７】
2007117981.tif 000009
【図８】
2007117981.tif 000010
【図９】
2007117981.tif 000011
【図１０】
2007117981.tif 000012